(57)【要約】  インプラント（５）は、骨（２）に固定されるセラミックス製のインプラント体（１０）と、インプラント体（１０）に形成された被接触部（１４）に接触する接触部（２２）を有するセラミックス製の接続体（２０）と、被接触部（１４）と接触部（２２）の間に配置されて、被接触部（１４）と接触部（２２）から発生した磨耗粉を封止する封止体（９）と、を備える。封止体は、骨（２）に触れない領域に配置される。封止体（９）は、被接触部（１４）と接触部（２２）の両方又はいずれか一方に、固着される。
2017002223.tif 000002
【特許請求の範囲】
【請求項１】
骨に固定されるセラミックス製のインプラント体と、
前記インプラント体に形成された被接触部に対して接触する接触部を有するセラミックス製の接続体と、
前記被接触部と前記接触部の間に配置されて、前記被接触部と前記接触部から発生した磨耗粉を封止する封止体と、
を備えるインプラント。
【請求項２】
前記封止体は、前記磨耗粉の発生を防止する請求項１に記載のインプラント。
【請求項３】
前記封止体は、前記骨に触れない領域に配置される請求項１または２に記載のインプラント。
【請求項４】
前記封止体は、前記被接触部と前記接触部の両方又はいずれか一方に、固着される請求項１から３のうちいずれか一項に記載のインプラント。
【請求項５】
前記封止体は、耐放射線性と耐熱性を有する請求項４に記載のインプラント。
【請求項６】
前記封止体は、パラキシリレンの重合体からなる請求項１から５のうちいずれか一項に記載のインプラント。
【請求項７】
前記封止体は、厚みが０．１μｍ以上、５０μｍ以下である請求項１から６のうちいずれか一項に記載のインプラント。
【請求項８】
前記インプラント体は、歯槽骨に埋め込まれるフィクスチャーであり、
前記接続体は、前記フィクスチャーに嵌合するアバットメントである請求項１から７のうちいずれか一項に記載のインプラント。
【請求項９】
前記被接触部は、奥行方向に向かって縮径するテーパー穴部であり、
前記接触部は、基端側に向かって縮径するテーパー軸部であり、
前記テーパー穴部と前記テーパー軸部が前記封止体を介して嵌合する請求項８に記載のインプラント。
【請求項１０】
前記インプラント体は、関節の基端側の骨に固定される基端側骨コンポーネントであり、
前記接続体は、前記関節の先端側の骨に固定されて、前記基端側骨コンポーネントに対して摺接する先端側骨コンポーネントである請求項１から７のうちいずれか一項に記載のインプラント。
【請求項１１】
前記被接触部は、球形または円弧形に窪むカップであり、
前記接触部は、球形または円弧形に突出するヘッドであり、
前記カップと前記ヘッドが前記封止体を介して摺接する請求項１０に記載のインプラント。
【請求項１２】
前記関節は、股関節、肩関節または足首である請求項１１に記載のインプラント。
【請求項１３】
前記被接触部は、球形または円弧形に突出するヘッドであり、
前記接触部は、球形または円弧形に窪むカップであり、
前記ヘッドと前記カップが前記封止体を介して摺接する請求項１０に記載のインプラント。
【請求項１４】
前記関節は、膝関節、肩関節または肘関節である請求項１３に記載のインプラント。
【請求項１５】
歯槽骨に固定されるセラミックス製のフィクスチャーであって、
金属製のアバットメントに形成された嵌合部が嵌合する被嵌合部を有し、
前記被嵌合部から発生した磨耗粉を封止する封止体が前記被嵌合部に配置されるフィクスチャー。
【請求項１６】
歯槽骨に固定される金属製のフィクスチャーであって、
セラミックス製のアバットメントに形成された嵌合部が嵌合する被嵌合部を有し、
前記嵌合部から発生した磨耗粉を封止する封止体が前記被嵌合部に配置されるフィクスチャー。
【請求項１７】
歯槽骨に固定される金属製のフィクスチャーに嵌合するセラミックス製のアバットメントであって、
前記フィクスチャーに形成された被嵌合部に嵌合する嵌合部を有し、
前記嵌合部から発生した磨耗粉を封止する封止体が前記嵌合部に配置されるアバットメント。
【請求項１８】
歯槽骨に固定されるセラミックス製のフィクスチャーに嵌合する金属製のアバットメントであって、
前記フィクスチャーに形成された被嵌合部に嵌合する嵌合部を有し、
前記被嵌合部から発生した磨耗粉を封止する封止体が前記嵌合部に配置されるアバットメント。
【請求項１９】
関節の基端側の骨に固定されるセラミックス製の基端側骨コンポーネントであって、
前記関節の先端側の骨に固定される金属製の先端側骨コンポーネントに形成された摺接部が摺接する被摺接部を有し、
前記被摺接部から発生した磨耗粉を封止する封止体が前記被摺接部に配置される基端側骨コンポーネント。
【請求項２０】
関節の基端側の骨に固定される金属製の基端側骨コンポーネントであって、
前記関節の先端側の骨に固定されるセラミックス製の先端側骨コンポーネントに形成された摺接部が摺接する被摺接部を有し、
前記摺接部から発生した磨耗粉を封止する封止体が前記被摺接部に配置される基端側骨コンポーネント。
【請求項２１】
関節の先端側の骨に固定されるセラミックス製の先端側骨コンポーネントであって、
前記関節の基端側の骨に固定される金属製の基端側骨コンポーネントに形成された被摺接部に摺接する摺接部を有し、
前記摺接部から発生した磨耗粉を封止する封止体が前記摺接部に配置される先端側骨コンポーネント。
【請求項２２】
関節の先端側の骨に固定される金属製の先端側骨コンポーネントであって、
前記関節の基端側の骨に固定されるセラミックス製の基端側骨コンポーネントに形成された被摺接部に摺接する摺接部を有し、
前記被摺接部から発生した磨耗粉を封止する封止体が前記摺接部に配置される先端側骨コンポーネント。
【発明の詳細な説明】
【技術分野】
【０００１】
本発明は、インプラント、フィクスチャー、アバットメント、基端側骨コンポーネント、先端側骨コンポーネントに関する。例えば顎の骨に埋め込まれる歯科用インプラントや、股関節等に埋め込まれる人工関節インプラントに関する。
【背景技術】
【０００２】
体内に埋め込まれるインプラントが注目されている。
例えば歯科用インプラントは、虫歯や破損により永久歯の歯根が失われた場合に、歯槽骨に設けた穴に挿入して固定するものである。この歯科用インプラントは、歯槽骨に固定されるフィクスチャー（人工歯根）と、フィクスチャーに螺着されるアバットメント（支台）とで構成される。アバットメントには、インプラントクラウン（人工歯冠）が装着される。
歯科用インプラント（フィクスチャー、アバットメント）は、チタンやチタン合金等の金属の他、アルミナやジルコニア等のセラミックスにより形成される。【０００３】
特許文献１に記載されるように、フィクスチャーは、先端面に開口する穴部を有する。この穴部には、テーパー穴部が形成される。アバットメントには、上記テーパー穴部に挿入されるテーパー軸部が形成される。テーパー穴部及びテーパー軸部は、咬合圧を受け止める耐圧部となる。【０００４】
フィクスチャーの穴部にアバットメントを差し込むことにより、テーパー穴部にテーパー軸部が楔状に入り込む。これにより、フィクスチャーとアバットメントが嵌合する。
【先行技術文献】
【特許文献】
【０００５】
【特許文献１】特開２００４−１１３７１８号公報
【発明の概要】
【発明が解決しようとする課題】
【０００６】
セラミックス製の歯科用インプラントでは、耐圧部（テーパー穴部、テーパー軸部）に亀裂が発生しやすいという問題がある。
テーパー穴部とテーパー軸部は、密着（接触）して、咬合圧を繰り返し受ける。フィクスチャーやアバットメントがセラミックス製の場合には、耐圧部から微細な磨耗粉が発生する。そして、この磨耗粉が耐圧部に溜まると、テーパー穴部とテーパー軸部の接触が阻害されて、耐圧部の一部に応力集中が起こる。【０００７】
セラミックスは、脆性材料であるため、金属のように塑性変形しない。このため、耐圧部の一部に応力集中が起こると、耐圧部に亀裂が発生する。最悪の場合には、亀裂が進行して、フィクスチャーやアバットメントが破損してしまう。【０００８】
人工関節インプラント（基端側骨コンポーネント、先端側骨コンポーネント）も、アルミナやジルコニア等のセラミックスにより形成される場合がある。
基端側骨コンポーネントや先端側骨コンポーネントがセラミックス製の場合には、基端側骨コンポーネントに対して先端側骨コンポーネントが摺接することにより磨耗粉が発生する。このため、歯科用インプラントと同様に、基端側骨コンポーネントや先端側骨コンポーネントに亀裂が発生して、破損してしまう。また、人工関節インプラントから磨耗粉が放出され続けると、人体に悪影響を与えるおそれがある。【０００９】
本発明の目的は、セラミックスを用いた歯科用インプラントや人工関節等において、長期間に亘って亀裂発生や破損を防止できるインプラント、フィクスチャー、アバットメント、基端側骨コンポーネント、先端側骨コンポーネントを提供することである。
【課題を解決するための手段】
【００１０】
本発明に係るインプラントの第一実施態様は、骨に固定されるセラミックス製のインプラント体と、前記インプラント体に形成された被接触部に対して接触する接触部を有するセラミックス製の接続体と、前記被接触部と前記接触部の間に配置されて、前記被接触部と前記接触部から発生した磨耗粉を封止する封止体と、
を備えることを特徴とする。【００１１】
本発明に係るインプラントの第二実施態様は、第一実施態様において、前記封止体は、前記磨耗粉の発生を防止することを特徴とする。【００１２】
本発明に係るインプラントの第三実施態様は、第一または第二実施態様において、前記封止体は、前記骨に触れない領域に配置されることを特徴とする。【００１３】
本発明に係るインプラントの第四実施態様は、第一から第三実施態様のいずれかにおいて、前記封止体は、前記被接触部と前記接触部の両方又はいずれか一方に、固着されることを特徴とする。【００１４】
本発明に係るインプラントの第五実施態様は、第四実施態様において、耐放射線性と耐熱性を有することを特徴とする。【００１５】
本発明に係るインプラントの第六実施態様は、第一から第五実施態様のいずれかにおいて、前記封止体は、パラキシリレンの重合体からなることを特徴とする。【００１６】
本発明に係るインプラントの第七実施態様は、第一から第六実施態様のいずれかにおいて、前記封止体は、厚みが０．１μｍ以上、５０μｍ以下であることを特徴とする。【００１７】
本発明に係るインプラントの第八実施態様は、第一から第七実施態様のいずれかにおいて、前記インプラント体は、歯槽骨に埋め込まれるフィクスチャーであり、前記接続体は、前記フィクスチャーに嵌合するアバットメントであることを特徴とする。【００１８】
本発明に係るインプラントの第九実施態様は、第八実施態様において、前記被接触部は、奥行方向に向かって縮径するテーパー穴部であり、前記接触部は、基端側に向かって縮径するテーパー軸部であり、前記テーパー穴部と前記テーパー軸部が前記封止体を介して嵌合することを特徴とする。【００１９】
本発明に係るインプラントの第十実施態様は、第一から第七実施態様のいずれかにおいて、前記インプラント体は、関節の基端側の骨に固定される基端側骨コンポーネントであり、前記接続体は、前記関節の先端側の骨に固定されて、前記基端側骨コンポーネントに対して摺接する先端側骨コンポーネントであることを特徴とする。【００２０】
本発明に係るインプラントの第十一実施態様は、第十実施態様において、前記被接触部は、球形または円弧形に窪むカップであり、前記接触部は、球形または円弧形に突出するヘッドであり、前記カップと前記ヘッドが前記封止体を介して摺接する【００２１】
本発明に係るインプラントの第十二実施態様は、第十一実施態様において、前記関節は、股関節、肩関節または足首であることを特徴とする。【００２２】
本発明に係るインプラントの第十三実施態様は、第十実施態様において、前記被接触部は、球形または円弧形に突出するヘッドであり、前記接触部は、球形または円弧形に窪むカップであり、前記ヘッドと前記カップが前記封止体を介して摺接することを特徴とする。【００２３】
本発明に係るインプラントの第十四実施態様は、第十三実施態様において、前記関節は、膝関節、肩関節または肘関節であることを特徴とする。【００２４】
本発明に係るフィクスチャーの第一実施態様は、歯槽骨に固定されるセラミックス製のフィクスチャーであって、金属製のアバットメントに形成された嵌合部が嵌合する被嵌合部を有し、前記被嵌合部から発生した磨耗粉を封止する封止体が前記被嵌合部に配置されることを特徴とする。【００２５】
本発明に係るフィクスチャーの第二実施態様は、歯槽骨に固定される金属製のフィクスチャーであって、セラミックス製のアバットメントに形成された嵌合部が嵌合する被嵌合部を有し、前記嵌合部から発生した磨耗粉を封止する封止体が前記被嵌合部に配置されることを特徴とする。【００２６】
本発明に係るアバットメントの第一実施態様は、歯槽骨に固定される金属製のフィクスチャーに嵌合するセラミックス製のアバットメントであって、前記フィクスチャーに形成された被嵌合部に嵌合する嵌合部を有し、前記嵌合部から発生した磨耗粉を封止する封止体が前記嵌合部に配置されることを特徴とする。【００２７】
本発明に係るアバットメントの第二実施態様は、歯槽骨に固定されるセラミックス製のフィクスチャーに嵌合する金属製のアバットメントであって、前記フィクスチャーに形成された被嵌合部に嵌合する嵌合部を有し、前記被嵌合部から発生した磨耗粉を封止する封止体が前記嵌合部に配置されることを特徴とする。【００２８】
本発明に係る基端側骨コンポーネントの第一実施態様は、関節の基端側の骨に固定されるセラミックス製の基端側骨コンポーネントであって、前記関節の先端側の骨に固定される金属製の先端側骨コンポーネントに形成された摺接部が摺接する被摺接部を有し、前記被摺接部から発生した磨耗粉を封止する封止体が前記被摺接部に配置されることを特徴とする。【００２９】
本発明に係る基端側骨コンポーネントの第二実施態様は、関節の基端側の骨に固定される金属製の基端側骨コンポーネントであって、前記関節の先端側の骨に固定されるセラミックス製の先端側骨コンポーネントに形成された摺接部が摺接する被摺接部を有し、前記摺接部から発生した磨耗粉を封止する封止体が前記被摺接部に配置されることを特徴とする。【００３０】
本発明に係る先端側骨コンポーネントの第一実施態様は、関節の先端側の骨に固定されるセラミックス製の先端側骨コンポーネントであって、前記関節の基端側の骨に固定される金属製の基端側骨コンポーネントに形成された被摺接部に摺接する摺接部を有し、前記摺接部から発生した磨耗粉を封止する封止体が前記摺接部に配置されることを特徴とする。【００３１】
本発明に係る先端側骨コンポーネントの第二実施態様は、関節の先端側の骨に固定される金属製の先端側骨コンポーネントであって、前記関節の基端側の骨に固定されるセラミックス製の基端側骨コンポーネントに形成された被摺接部に摺接する摺接部を有し、前記被摺接部から発生した磨耗粉を封止する封止体が前記摺接部に配置されることを特徴とする。
【発明の効果】
【００３２】
本発明に係るインプラント、フィクスチャー、アバットメント、基端側骨コンポーネント、先端側骨コンポーネントは、セラミックスの磨耗粉を封止する。これにより、長期間に亘ってセラミックスにおける亀裂発生や破損を防止できる
【図面の簡単な説明】
【００３３】
【図１】本発明の実施形態に係る歯科用インプラント５を示す図である。
【図２】歯科用インプラント５の分解斜視図である。
【図３】歯科用インプラント５の側面図である。
【図４】歯科用インプラント５を示す図であって、（ａ）上面図、（ｂ）縦断面図（IV−IV断面）である。
【図５】歯科用インプラント５の横断面図であって、（ａ）Vａ−Vａ断面、（ｂ）Vｂ−Vｂ断面、（ｃ）Vｃ−Vｃ断面、（ｄ）Vｄ−Vｄ断面、（ｅ）Vｅ−Vｅ断面、（ｆ）Vｆ−Vｆ断面である。
【図６】フィクスチャー１０を示す縦断面図である。
【図７】アバットメントユニット８を示す図であって、（ａ）上面図、（ｂ）側面及び縦断面図（VIIｂ−VIIｂ断面）、（ｃ）下面図である。
【図８】アバットメント２０を示す図であって、（ａ）側面図、（ｂ）縦断面図（VIIIｂ−VIIIｂ断面）、（ｃ）下面図である。
【図９】クランパピン３０を示す図であって、（ａ）側面図、（ｂ）下面図である。
【図１０】クランパ４０を示す図であって、（ａ）側面図、（ｂ）下面図、（ｃ）縦断面図（Xｃ−Xｃ断面）である。
【図１１】ロックナット５０を示す図であって、（ａ）上面図、（ｂ）縦断面図（XIｂ−XIｂ断面）である。
【図１２】歯科用インプラント５の疲労試験（比較試験）の結果を示す図である。
【図１３】歯科用インプラント５の疲労試験（耐久試験）の結果を示す図である。
【図１４】本発明の実施形態に係る人工股関節インプラント１０５を示す図である。
【図１５】本発明の実施形態に係る人工膝関節インプラント１１５を示す図である。
【図１６】本発明の実施形態に係る人工肩関節インプラント１２５を示す図である。
【図１７】本発明の実施形態に係る反転型人工肩関節インプラント１３５を示す図である。
【図１８】本発明の実施形態に係る人工肘関節インプラント１４５を示す図である。
【図１９】本発明の実施形態に係る人工足首インプラント１５５を示す図である。
【発明を実施するための形態】
【００３４】
本発明の実施形態につき図面を参照して説明する。下記説明において示す各種寸法等は一例である。
【００３５】
〔歯科用インプラント５〕
図１は、本発明の実施形態に係る歯科用インプラント５を示す図である。
歯科用インプラント（インプラント）５は、歯槽骨（骨）２に固定されるフィクスチャー１０と、フィクスチャー１０に嵌合するアバットメントユニット８と、を備えている。アバットメントユニット８には、インプラントクラウン６が装着される。
インプラントクラウン６よりも基端側は、歯茎４に覆われる。
【００３６】
歯科用インプラント５の長手方向をＺ方向、軸方向または縦と言う。Ｚ方向のうち、フィクスチャー１０側を＋Ｚ方向、＋Ｚ側、基端側または奥行方向と言う。＋Ｚ方向の端部を基端と呼ぶ。
Ｚ方向のうち、インプラントクラウン６側を−Ｚ方向、−Ｚ側または先端側と言う。−Ｚ方向の端部を先端と呼ぶ。Ｚ方向に直行する方向を横と呼ぶ。
＋Ｚ方向から見たときを下面図、−Ｚ方向から見たときを上面図とする。
【００３７】
フィクスチャー１０の外周面には、雄ネジ１２が形成される。フィクスチャー１０は、雄ネジ１２を歯槽骨２に形成した穴に螺合することにより、歯槽骨２に固定される。アバットメントユニット８の先端側（−Ｚ方向）の外周面には、インプラントクラウン６が接着剤等を用いて装着される。
【００３８】
図２は、本実施形態の歯科用インプラント５の分解斜視図である。
図３は、歯科用インプラント５の側面図である。
図４は、歯科用インプラント５を示す図であって、（ａ）上面図、（ｂ）縦断面図（IV−IV断面）である。
図５は、歯科用インプラント５の横断面図であって、（ａ）Vａ−Vａ断面、（ｂ）Vｂ−Vｂ断面、（ｃ）Vｃ−Vｃ断面、（ｄ）Vｄ−Vｄ断面、（ｅ）Vｅ−Vｅ断面、（ｆ）Vｆ−Vｆ断面である。
図６は、アバットメントユニット８を示す縦断面図である。
【００３９】
歯科用インプラント５は、フィクスチャー１０とアバットメントユニット８を備える。アバットメントユニット８は、アバットメント２０、クランパピン３０、クランパ４０及びロックナット５０を組み立てたものである。
また、歯科用インプラント５は、フィクスチャー１０とアバットメントユニット８（アバットメント２０）の間に配置される封止膜９を備える。
【００４０】
〔フィクスチャー１０〕
図７は、フィクスチャー１０を示す図であって、（ａ）上面図、（ｂ）側面及び縦断面図（VIIｂ−VIIｂ断面）、（ｃ）下面図である。
フィクスチャー１０は、円柱形の部材であり、ジルコニア等のセラミックス材料により形成される。
【００４１】
フィクスチャー（インプラント体）１０の外周面には、雄ネジ１２が設けられる。
フィクスチャー１０の−Ｚ側の端面の中心には、中心穴１３が開口する。中心穴１３には、奥行き方向（＋Ｚ方向）に向かって、テーパー穴部１４、逆テーパー穴部１５及び係合穴部１６が連続して形成される。
テーパー穴部（被接触部、被嵌合部）１４は、＋Ｚ方向に向かうにしたがって内径が徐々に縮小（縮径）する。逆テーパー穴部１５は、＋Ｚ方向に向かうにしたがって内径が徐々に拡大（拡径）する。係合穴部１６には、平行かつ対向する二つの内側面からなる平行二面１６Ａが形成される。
【００４２】
テーパー穴部１４のテーパー角は、例えば４°である。テーパー穴部１４の長さ（深さ）は、フィクスチャー１０の全長（例えば１０ｍｍ）の１／３以上の長さ（例えば４〜５ｍｍ）に形成される。好ましくは、テーパー穴部１４の長さは、フィクスチャー１０の全長（例えば１２ｍｍ）の３／５程度の長さ（例えば８ｍｍ）に形成される。
テーパー穴部１４の内周側面には、Ｚ方向に沿う複数の突起１７が形成される。複数の突起１７は、中心穴１３の周方向において、等間隔（等角度）に配置される。突起１７は５本である。突起１７の横断面の形状は、半円弧形に膨らむ形状である。
【００４３】
逆テーパー穴部１５には、＋Ｚ方向に向かって、小径部１５Ａ、逆テーパー部１５Ｂ及び大径部１５Ｃが連続して形成される。小径部１５Ａの内径は、テーパー穴部１４の最小内径よりも小さい。
逆テーパー部１５Ｂは、＋Ｚ方向に向かうにしたがって内径が徐々に拡大（拡径）する。逆テーパー部１５Ｂのテーパー角は、例えば１０°である。逆テーパー部１５Ｂの長さ（深さ）は、例えば０．２５ｍｍである。
大径部１５Ｃの内径は、小径部１５Ａの内径よりも大きい。大径部１５Ｃの長さ（深さ）は、例えば１．０ｍｍである。
したがって、逆テーパー穴部１５の小径部１５Ａは、中心穴１３の内周側に突出する。
【００４４】
係合穴部１６は、対向する二つの円弧形の内周側面と、平行かつ対向する二つの内側面（平行二面１６Ａ）とからなる。係合穴部１６の長さ（深さ）は、例えば０．８ｍｍである。二つの平行二面１６Ａの幅（二面幅）は、約０．７ｍｍである。
【００４５】
〔アバットメント２０〕
図８は、アバットメント２０を示す図であって、（ａ）側面図、（ｂ）縦断面図（VIIIｂ−VIIIｂ断面）、（ｃ）下面図である。
アバットメント（接続体）２０は、軸形部材であり、審美性に優れた白色のセラミックス材料により形成される。セラミックス材料には、例えばジルコニアが用いられる。アバットメント２０は、基端側がフィクスチャー１０の中心穴１３に嵌め込まれ、先端側にはインプラントクラウン６が装着される。
【００４６】
アバットメント２０は、本体部２１とテーパー軸部２２とからなる。
本体部２１には、インプラントクラウン６が装着される。テーパー軸部２２は、本体部２１の基端側（＋Ｚ側）から延設して、フィクスチャー１０の中心穴１３に内挿される。
【００４７】
テーパー軸部（接触部、嵌合部）２２のテーパー角は、例えば４°である。つまり、フィクスチャー１０の中心穴１３のテーパー穴部１４の角度と同一である。
テーパー軸部２２の長さは、テーパー穴部１４と同一又は長く形成される。テーパー軸部２２の長さは、例えば、８．１ｍｍである。
【００４８】
テーパー軸部２２の外周側面には、Ｚ方向に沿って、複数の溝部２３が形成される。複数の溝部２３は、テーパー軸部２２の周方向において、等間隔（等角度）に配置される。溝部２３は５本である。つまり、テーパー穴部１４の内周側面に形成される突起１７と同数である。
溝部２３の横断面の形状は、半円弧形に窪む形状である。つまり、テーパー穴部１４の内周側面に形成される突起１７とは逆の形状である。
【００４９】
フィクスチャー１０の中心穴１３にアバットメント２０のテーパー軸部２２を挿入すると、テーパー軸部２２が中心穴１３のテーパー穴部１４に嵌合する。
テーパー穴部１４にテーパー軸部２２を密着（接触）させることで、アバットメントユニット８（アバットメント２０）に作用する外力（咬合圧Ｆ）を受け止めることができる。つまり、テーパー穴部１４とテーパー軸部２２は、耐圧部６０として機能する（図５（ｃ），（ｄ）参照）。
【００５０】
テーパー軸部２２がテーパー穴部１４に嵌合すると同時に、５本の溝部２３が５本の突起１７に差し込まれて密着する。
５本の突起１７と５本の溝部２３が噛合うので、フィクスチャー１０に対するアバットメント２０の回転が抑止できる。つまり、突起１７と溝部２３は、回転防止部７０として機能する（図５（ｃ），（ｄ）参照）。
【００５１】
アバットメント２０の中心には、Ｚ方向に貫通する貫通孔２４が形成される。
貫通孔２４のうち、本体部２１に対応する部位（本体部側貫通孔２４Ａ）は、内径が約２．５ｍｍに形成される。本体部側貫通孔２４Ａには、ロックナット５０が挿入される。
貫通孔２４のうち、テーパー軸部２２に対応する部位（テーパー軸部側貫通孔２４Ｂ）は、内径が約１ｍｍに形成される。テーパー軸部側貫通孔２４Ｂには、クランパピン３０の本体部３１がほぼ隙間なく挿通される。
本体部側貫通孔２４Ａとテーパー軸部側貫通孔２４Ｂの境には、−Ｚ方向を向く段差面２５が形成される。
【００５２】
〔封止膜９〕
封止膜（封止体）９は、アバットメント２０のテーパー軸部２２に配置（固着）される。封止膜９は、静止状態において、せん断応力が発生する固体である。すなわち、封止膜９は、流動体や液状体の様に移動可能する物体とは異なる。具体的には、封止膜９は、コーキング剤や接着剤等とは異なる物体である。
【００５３】
封止膜９は、例えば樹脂膜である。封止膜９は、例えばパラキシリレンの重合体からなる。パラキシリレンの重合体は、無色透明である。
パラキシリレンの重合体には、例えば、第三化成株式会社のｄｉＸ（登録商標）や日本パリレン合同会社のパリレン（登録商標）を用いることができる。
パラキシリレンの重合体は、人体に対して安全であり、耐摩耗、耐薬品、絶縁性、防湿性が高い樹脂である。このため、パラキシリレンの重合体は、歯科用インプラント５に配置する材料として好適である。
【００５４】
封止膜９は、アバットメント２０のテーパー軸部２２にコーティングされる。封止膜９は、化学蒸着法（ＣＶＤ）によりコーティング（成膜）される。封止膜９は、テーパー軸部２２のほぼ全体（全域）に亘ってコーティングされる（図８参照）。封止膜９は、テーパー軸部２２に形成された５本の溝部２３にもコーティングされる。つまり、封止膜９は、アバットメント２０の表面のうち、フィクスチャー１０が接触する領域に配置される。
封止膜９は、ほぼ均一の膜厚にコーティングされる。封止膜９の膜厚（厚み）は、０．１μｍ〜５０μｍである。好ましくは、１μｍ〜２０μｍである。
【００５５】
封止膜９は、アバットメント２０を滅菌（殺菌）処理する前にコーティングされ、その後に加熱処理される。つまり、封止膜９が配置されたアバットメント２０は、γ線滅菌処理され、その後に１００〜３００℃の温度で加熱処理される。ジルコニアで形成されたアバットメント２０は、γ線滅菌処理を施すと濃茶色化する。その後に加熱処理を施して、アバットメント２０は白色化して審美性を向上させる（WO2015/025656,JP2015039422A1参照）。
このため、封止膜９は、γ線照射と加熱により変質しない性質（耐放射線性、耐熱性）が求められる。パラキシリレンの重合体は、耐放射線性と耐熱性を有するので、封止膜９として好適である。
【００５６】
封止膜９は、歯槽骨２に触れる部位にはコーティングされない。封止膜９が歯槽骨２に触れると、歯科用インプラント５との骨結合（osseointegration）が阻害されるおそれがあるからである。アバットメント２０は、歯槽骨２に触れないので、アバットメント２０の全面に封止膜９をコーティングしてもよい。
【００５７】
封止膜９は、テーパー軸部２２の表面に存在する凹凸に入り込む。特に、封止膜９がパラキシリレンの重合体からなるので、封止膜９が微細な凸凹のある表面に対して、均一な膜厚でピンホールもなくコーティングされる。封止膜９は、液状コーティングでは入り込むことが困難な、微細な凸凹にもコーティングされる。
【００５８】
〔クランパピン３０〕
図９は、クランパピン３０を示す図であって、（ａ）側面図、（ｂ）下面図である。
クランパピン３０は、細長い軸形部材であり、チタンまたはチタン合金により形成される。クランパピン３０は、アバットメント２０の貫通孔２４に挿通される。また、クランパピン３０は、フィクスチャー１０に係合する。クランパピン３０の本体部３１の直径は、約１ｍｍである。クランパピン３０の基端側（＋Ｚ側）には、テーパー部３２及び係合軸部３３が設けられる。
【００５９】
テーパー部３２は、＋Ｚ方向に向かうにしたがって外径が徐々に拡大（拡径）する。テーパー部３２の角度は、約４０°である。テーパー部３２は、フィクスチャー１０の中心穴１３に形成された逆テーパー穴部１５に収容される。
係合軸部３３には、円柱軸に平行かつ背向する二つ外側面（平行二面３３Ａ）が形成される。平行二面３３Ａの幅（二面幅）は、約０．８ｍｍである。係合軸部３３は、中心穴１３の最深部に形成された係合穴部１６に嵌め込まれる。
【００６０】
クランパピン３０の先端側（−Ｚ側）には、Ｍ１サイズの右ネジである雄ネジ３４が設けられる。雄ネジ３４のネジ寸法等は、本体部３１の直径等に応じて、適宜変更可能である。クランパピン３０は、歯科用インプラント５を組み立てたときに、雄ネジ３４がアバットメント２０の貫通孔２４の本体部側貫通孔２４Ａに露出（位置）する長さに形成される。
【００６１】
〔クランパ４０〕
図１０は、クランパ４０を示す図であって、（ａ）側面図、（ｂ）下面図、（ｃ）縦断面図（Xｃ−Xｃ断面）である。
クランパ４０は、リング形の部材であり、チタンまたはチタン合金により形成される。クランパ４０は、クランパピン３０に嵌め合わされる。
クランパ４０の外径は、フィクスチャー１０の中心穴１３の逆テーパー穴部１５の最小内径（小径部１５Ａの内径）より僅かに小径である。クランパ４０の外径は、例えば約１．４ｍｍである。
クランパ４０の内径は、約１ｍｍである。クランパ４０は、クランパピン３０に外嵌して用いられる。クランパ４０は、クランパピン３０のテーパー部３２に引っ掛かる位置に配置される。クランパ４０は、歯科用インプラント５を組み立てたときに、フィクスチャー１０の中心穴１３の逆テーパー穴部１５に収容される。クランパ４０の外径を逆テーパー穴部１５の最小内径よりも僅かに大径に形成して、逆テーパー穴部１５に押し入れてもよい。
【００６２】
クランパ４０の基端側（＋Ｚ側）には、８本の櫛歯４１が形成される。櫛歯４１は、クランパ４０がクランパピン３０のテーパー部３２の乗り上がったときに、外周側に向けて弾性変形して広がる。
クランパ４０の櫛歯４１は、いわゆるコレットチャックと同様な動作をする。クランパ４０の櫛歯４１が外周側に向けて広がると、クランパ４０の最大外径は、テーパー穴部１４の最小内径（小径部１５Ａの内径）よりも大径になる。このため、クランパ４０は、逆テーパー穴部１５の小径部１５Ａに引っ掛かる。したがって、クランパ４０が外嵌されたクランパピン３０は、−Ｚ方向への移動が抑止される。
【００６３】
〔ロックナット５０〕
図１１は、ロックナット５０を示す図であって、（ａ）上面図、（ｂ）縦断面図（XIｂ−XIｂ断面）である。
ロックナット５０は、リング形（円筒形）部材であり、チタンまたはチタン合金により形成される。ロックナット５０は、アバットメント２０の貫通孔２４に挿入されて、クランパピン３０に螺合する。
ロックナット５０の内周面には、Ｍ１サイズの右ネジである雌ネジ５２が設けられる。雌ネジ５２のネジ寸法等は、雄ネジ３４に対応して適宜変更可能である。
ロックナット５０の基端側（＋Ｚ側）の端面５０Ａは、アバットメント２０の貫通孔２４の段差面２５に当接（係合）しつつ、中心軸回りに回転可能に形成される。
ロックナット５０の先端側（−Ｚ側）の端面５０Ｂには、マイナスドライバ（不図示）が挿入される直線溝５３が設けられる。つまり、マイナスドライバをこの直線溝５３に係合して回転させると、ロックナット５０が回転する。
【００６４】
ロックナット５０は、アバットメント２０の貫通孔２４（本体部側貫通孔２４Ａ）に挿入される。ロックナット５０の外周面５０Ｓと本体部側貫通孔２４Ａとの間には、僅かな隙間が設けられる。ロックナット５０の雌ネジ５２は、本体部側貫通孔２４Ａに露出するクランパピン３０の雄ネジ３４に螺合する。
このため、歯科用インプラント５を組み立てた状態で、ロックナット５０を右回転させると、ロックナット５０の端面５０Ａがアバットメント２０の貫通孔２４の段差面２５に当接しつ摺動する。これと同時に、雌ネジ５２に螺合するクランパピン３０がアバットメント２０に対して−Ｚ方向に移動する。
【００６５】
〔歯科用インプラント５の組み立て〕
歯科用インプラント５の組み立ては、WO2012/070606A1に記載された組み立てと同一であるため、その説明を省略する。
（JP2012110601A1(JP5688757B2),US2013224689A1(US8740615B2),EP2644151A1,CN103118624A1参照）
【００６６】
〔検証試験〕
図１２は、歯科用インプラント５の疲労試験の結果を示す図である（比較試験）。
図１３は、歯科用インプラント５の疲労試験の結果を示す図である（耐久試験）。
図１２、図１３のグラフにおいて、縦軸は繰り返し荷重の振幅（ｍｍ）、横軸は繰り返し荷重の回数（cycle）を示す。
【００６７】
封止膜９の効果を検証するため、２つの歯科用インプラント５Ａ，５Ｂに対して繰り返し荷重を加える疲労試験を行った。歯科用インプラント５Ａ，５Ｂは、封止膜９の有無以外は、同一構成である。
歯科用インプラント５Ａは、上述した歯科用インプラント５と同一であって、テーパー穴部１４とテーパー軸部２２の間に封止膜９を備える。
歯科用インプラント５Ｂは、上述した歯科用インプラント５とは異なって、テーパー穴部１４とテーパー軸部２２の間に封止膜９を備えない。
【００６８】
２つの歯科用インプラント５Ａ，５Ｂに対して、ＩＳＯ１４８０１規格に準拠した疲労試験機を用いて疲労試験を行った。具体的には、歯科用インプラント５Ａ，５Ｂに対して、２００Ｎの荷重を２Ｈｚのサイクルで繰り返し加えた。
（ISO 14801:2007  Dentistry - Implants - Dynamic fatigue test for endosseous dental implants）
【００６９】
フィクスチャー１０とアバットメント２０は、脆性材料であるジルコニアによりそれぞれ形成されている。このため、テーパー穴部１４とテーパー軸部２２が衝突し合うと、磨耗粉が発生する。この磨耗粉は、テーパー穴部１４とテーパー軸部２２の間に形成される僅かな隙間に沿って、重力に従って落下（移動）する。このため、磨耗粉が耐圧部６０や回転防止部７０の一部に堆積する。
磨耗粉が耐圧部６０や回転防止部７０の一部に堆積すると、耐圧部６０や回転防止部７０に掛かる外力が不均一になる。このようにして、磨耗粉は、耐圧部６０や回転防止部７０に応力集中を引き起こす。
そして、ジルコニア等のセラミックスに応力集中が起こると、材料内の欠陥を起点にして亀裂が発生する。最悪の場合には、亀裂が進行して破折に至る。
【００７０】
歯科用インプラント５Ｂでは、封止膜９を備えていないので、テーパー穴部１４やテーパー軸部２２から磨耗粉が発生した。磨耗粉は、耐圧部６０や回転防止部７０の一部に堆積して、応力集中を引き起こした、亀裂を発生させた。
よって、図１２に示すように、歯科用インプラント５Ｂは、７１７３回の繰り返し荷重を受けて破折した。
【００７１】
一方、歯科用インプラント５Ａは、封止膜９を備える。封止膜９は、テーパー穴部１４とテーパー軸部２２の間に介在する。特に、封止膜９がパラキシリレンの重合体からなるので、封止膜９は、テーパー穴部１４とテーパー軸部２２の表面の微細な凸凹に対して、均一な膜厚でピンホールもなくコーティングされる。封止膜９は、液状コーティングでは入り込むことが困難な、微細な凸凹にもコーティングされる。
【００７２】
このため、歯科用インプラント５Ａでは、テーパー穴部１４やテーパー軸部２２から磨耗粉が発生したときに、封止膜９が磨耗粉を内部に封じ込める（封止する）。つまり、封止膜９は、テーパー穴部１４とテーパー軸部２２の間に形成される僅かな隙間に沿って、磨耗粉が重力に従って落下（移動）することを阻止する。
封止膜９の膜厚は、ジルコニアの磨耗粉の粒径よりも厚い。このため、封止膜９は、磨耗粉を確実に封じ込める（封止する）ことができる。
【００７３】
また、封止膜９は、テーパー穴部１４とテーパー軸部２２を均一に接触させるので、磨耗粉の発生を防止する。このため、耐圧部６０や回転防止部７０に磨耗粉が堆積することを長期間に亘って回避できた。したがって、歯科用インプラント５Ａでは、耐圧部６０や回転防止部７０に応力集中が起きず、テーパー穴部１４やテーパー軸部２２に亀裂は発生しなかった。
よって、図１２に示すように、歯科用インプラント５Ａは、２００万回の繰り返し荷重を受けても破損しなかった。
【００７４】
歯科用インプラント５Ａの疲労試験を継続した（耐久試験）。
図１３に示すように、歯科用インプラント５Ａは、２０００万回の繰り返し荷重を受けても破損しなかった。２０００万回の繰り返し荷重は、１００年間の人の咬合回数に相当する。したがって、歯科用インプラント５（５Ａ）は、歯槽骨２に装着された後に、人（装着者）が生きている間に破損する可能性は殆どない。
【００７５】
〔歯科用インプラント５の作用効果〕
歯科用インプラント５では、フィクスチャー１０のテーパー穴部１４にアバットメント２０のテーパー軸部２２を嵌合（接触）させると、封止膜９は、テーパー穴部１４とテーパー軸部２２の間に介在する。封止膜９は、テーパー穴部１４とテーパー軸部２２の間に形成される微小な隙間を埋める。
封止膜９は、フィクスチャー１０とアバットメント２０が擦れ（衝突し）合って磨耗粉が発生したときに、この磨耗粉を内部に封じ込める。言い換えれば、封止膜９は、磨耗粉の移動を阻止する。
封止膜９は、テーパー穴部１４やテーパー軸部２２から発生した磨耗粉を封止する層として機能する。
【００７６】
封止膜９は、テーパー穴部１４とテーパー軸部２２を均一に接触させる。これにより、テーパー穴部１４とテーパー軸部２２が擦れ（衝突し）合うことを防止する。言い換えれば、封止膜９は、磨耗粉の発生を防止する。
封止膜９は、テーパー穴部１４やテーパー軸部２２から磨耗粉が発生することを防止する層としても機能する。
【００７７】
歯科用インプラント５は、耐圧部６０（テーパー軸部２２、テーパー穴部１４）に配置された封止膜９を備える。このため、咬合圧Ｆを繰り返し受けて、テーパー軸部２２やテーパー穴部１４から磨耗粉が発生しても、封止膜９が磨耗粉を封じ込める（封止する）。また、歯科用インプラント５Ａでは、テーパー穴部１４とテーパー軸部２２が封止膜９を介して接触するので、磨耗粉の発生を防止できる。
【００７８】
封止膜９は、回転防止部７０（突起１７、溝部２３）にも配置される。このため、咬合圧Ｆを繰り返し受けても、突起１７や溝部２３から発生した磨耗粉を封じ込める（封止する）。突起１７や溝部２３から磨耗粉が発生することも防止できる。
【００７９】
このため、歯科用インプラント５は、磨耗粉が耐圧部６０や回転防止部７０の一部に堆積することを長期間に亘って回避できる。したがって、耐圧部６０や回転防止部７０に応力集中が起きて、テーパー穴部１４やテーパー軸部２２に亀裂が発生することを防止できる。
よって、歯科用インプラント５は、長期間に亘って破損を防止できる。
【００８０】
封止膜９は、咬合の際にフィクスチャー１０とアバットメント２０の間に食べかす等が侵入することを防止する。このため、歯科用インプラント５は、食べかす等が侵入して不衛生になることを回避できる。
【００８１】
封止膜９は、歯科用インプラント５からセラミックスの磨耗粉が体内に放出されることも防止する。フィクスチャー１０とアバットメント２０の間で発生した磨耗粉が人体に向けて排出されないので、健康被害の発生を回避できる。つまり、セラミックの磨耗粉が人体に悪影響を与えることを回避できる。
【００８２】
封止膜９を化学蒸着法によりアバットメント２０のテーパー軸部２２にコーティングしたので、封止膜９をテーパー軸部２２の全体（全域）に亘って斑なく均一に固着させることができる。このため、封止膜９の機能を十分に発揮できる。
封止膜９にパラキシリレンの重合体を用いたので、人体に対して安全であり、耐摩耗、耐薬品、絶縁性、防湿性に優れる。
【００８３】
封止膜９の膜厚（厚み）は０．１μｍ以上、５０μｍ以下である。好ましくは、１μｍ以上、２０μｍ以下である。ジルコニアの磨耗粉の粒径は、０．１μｍ以下である。このため、封止膜９の膜厚は、磨耗粉の粒径よりも厚い。したがって、封止膜９は、磨耗粉を確実に封じ込める（封止する）ことができる。
仮に、磨耗粉の粒径が封止膜９の膜厚よりも大きい場合であっても、この磨耗粉の大部分が封止膜９に覆われるので、磨耗粉の移動が阻止される。
【００８４】
〔人工股関節インプラント１０５〕
図１４は、本発明の実施形態に係る人工股関節インプラント１０５を示す図である。
人工股関節インプラント（インプラント）１０５は、骨盤（骨）１０２に固定される骨盤コンポーネント１０６と、骨盤コンポーネント１０６に対して摺接する大腿骨コンポーネント１０７と、を備えている。大腿骨コンポーネント１０７は、大腿骨（骨）１０３に固定される。
【００８５】
骨盤コンポーネント（インプラント体、基端側骨コンポーネント）１０６は、球形に窪むカップ１０６ａを有し、骨盤１０２に固定される。
大腿骨コンポーネント（接続体、先端側骨コンポーネント）１０７は、大腿骨１０３に埋め込まれるステム１０７ａと、ステム１０７ａから球形に突出してカップ１０６ａに摺接するヘッド１０７ｂを有する。
カップ（被接触部、被摺接部）１０６ａとヘッド（接触部、摺接部）１０７ｂは、それぞれジルコニア等のセラミックス材料により形成される。カップ１０６ａとヘッド１０７ｂの表面には、封止膜９がコーティングされる。
【００８６】
このため、人工股関節インプラント１０５は、カップ１０６ａに対してヘッド１０７ｂが摺接（接触）して磨耗粉が発生しても、封止膜９が磨耗粉を封じ込める（封止する）。また、カップ１０６ａとヘッド１０７ｂが封止膜９を介して接触するので、磨耗粉の発生を防止できる。したがって、カップ１０６ａとヘッド１０７ｂの間に堆積することを長期間に亘って回避でき、カップ１０６ａとヘッド１０７ｂに亀裂が発生することを防止できる。
よって、人工股関節インプラント１０５は、長期間に亘って破損を防止できる。
【００８７】
人工股関節インプラント１０５は、セラミックスの磨耗粉の放出を封止膜９が阻止するので、健康被害の発生を防止できる。
【００８８】
〔人工膝関節インプラント１１５〕
図１５は、本発明の実施形態に係る人工膝関節インプラント１１５を示す図である。
人工膝関節インプラント（インプラント）１１５は、大腿骨（骨）１１２に固定される大腿骨コンポーネント１１６と、大腿骨コンポーネント１１６に対して摺接する脛骨コンポーネント１１７と、を備えている。脛骨コンポーネント１１７は、脛骨１１３に固定される。
【００８９】
大腿骨コンポーネント（インプラント体、基端側骨コンポーネント）１１６は、円弧形に突出するヘッド１１６ａを有し、大腿骨１１２に固定される。
脛骨コンポーネント（接続体、先端側骨コンポーネント）１１７は、脛骨１１３に埋め込まれるベース１１７ａと、ベース１１７ａに連結して円弧形に窪むカップ１１７ｂを有する。カップ１１７ｂは、ヘッド１１６ａに摺接する。ベース１１７ａとカップ１１７ｂは、一体成形される場合もある。
ヘッド（被接触部、被摺接部）１１６ａとカップ（接触部、摺接部）１１７ｂは、それぞれジルコニア等のセラミックス材料により形成される。ヘッド１１６ａとカップ１１７ｂの表面には、封止膜９がコーティングされる。
【００９０】
このため、人工膝関節インプラント１１５は、ヘッド１１６ａに対してカップ１１７ｂが摺接（接触）して磨耗粉が発生しても、封止膜９が磨耗粉を封じ込める（封止する）。つまり、人工股関節インプラント１０５と同一の作用効果を奏する。
よって、人工膝関節インプラント１１５は、長期間に亘って破損を防止できる。また、セラミックスの磨耗粉の放出を封止膜９が阻止するので、健康被害の発生を防止できる。
【００９１】
〔人工肩関節インプラント１２５〕
図１６は、本発明の実施形態に係る人工肩関節インプラント１２５を示す図である。
人工肩関節インプラント（インプラント）１２５は、肩甲骨（骨）１２２に固定される肩甲骨コンポーネント１２６と、肩甲骨コンポーネント１２６に対して摺接する上腕骨コンポーネント１２７と、を備えている。上腕骨コンポーネント１２７は、上腕骨１２３に固定される。
【００９２】
肩甲骨コンポーネント（インプラント体、基端側骨コンポーネント）１２６は、円弧形に窪むカップ１２６ａを有し、肩甲骨１２２に固定される。
上腕骨コンポーネント（接続体、先端側骨コンポーネント）１２７は、上腕骨１２３に埋め込まれるステム１２７ａと、ステム１２７ａから球形に突出してカップ１２６ａに摺接するヘッド１２７ｂを有する。
カップ（被接触部、被摺接部）１２６ａとヘッド（接触部、摺接部）１２７ｂは、それぞれジルコニア等のセラミックス材料により形成される。カップ１２６ａとヘッド１２７ｂの表面には、封止膜９がコーティングされる。
【００９３】
このため、人工肩関節インプラント１２５は、カップ１２６ａに対してヘッド１２７ｂが摺接（接触）して磨耗粉が発生しても、封止膜９が磨耗粉を封じ込める（封止する）。つまり、人工股関節インプラント１０５等と同一の作用効果を奏する。
よって、人工肩関節インプラント１２５は、長期間に亘って破損を防止できる。また、セラミックスの磨耗粉の放出を封止膜９が阻止するので、健康被害の発生を防止できる。
【００９４】
〔反転型人工肩関節インプラント１３５〕
図１７は、本発明の実施形態に係る反転型人工肩関節インプラント１３５を示す図である。
反転型人工肩関節インプラント（インプラント）１３５は、人工肩関節インプラント１２５において、カップ１２６ａとヘッド１２７ｂを入れ替えたものである。
【００９５】
このため、反転型人工肩関節インプラント１３５は、ヘッド（被接触部、被摺接部）１２７ｂに対してカップ（接触部、摺接部）１２６ａが摺接（接触）して磨耗粉が発生しても、封止膜９が磨耗粉を封じ込める（封止する）。つまり、人工肩関節インプラント１２５と同一の作用効果を奏する。
よって、反転型人工肩関節インプラント１３５は、長期間に亘って破損を防止できる。また、セラミックスの磨耗粉の放出を封止膜９が阻止するので、健康被害の発生を防止できる。
【００９６】
〔人工肘関節インプラント１４５〕
図１８は、本発明の実施形態に係る人工肘関節インプラント１４５を示す図である。
人工肘関節インプラント（インプラント）１４５は、上腕骨（骨）１４２に固定される上腕骨コンポーネント１４６と、上腕骨コンポーネント１４６に対して摺接する橈骨コンポーネント１４７と、を備えている。橈骨コンポーネント１４７は、橈骨１４３に固定される。
【００９７】
上腕骨コンポーネント（インプラント体、基端側骨コンポーネント）１４６は、上腕骨１４２に埋め込まれるステム１４６ａと、ステム１４６ａに連結して円弧形に窪むカップ１４６ｂを有する。ステム１４６ａとカップ１４６ｂは、一体成形される場合もある。
橈骨コンポーネント（接続体、先端側骨コンポーネント）１４７は、円弧形に突出するヘッド１４７ａを有し、橈骨１４３に固定される。ヘッド１４７ａは、カップ１４６ｂに摺接する。
カップ（被接触部、被摺接部）１４６ｂとヘッド（接触部、摺接部）１４７ａは、それぞれジルコニア等のセラミックス材料により形成される。カップ１４６ｂとヘッド１４７ａの表面には、封止膜９がコーティングされる。
【００９８】
このため、人工肘関節インプラント１４５は、カップ１４６ｂに対してヘッド１４７ａが摺接（接触）して磨耗粉が発生しても、封止膜９が磨耗粉を封じ込める（封止する）。つまり、人工股関節インプラント１０５と同一の作用効果を奏する。
よって、人工肘関節インプラント１４５は、長期間に亘って破損を防止できる。また、セラミックスの磨耗粉の放出を封止膜９が阻止するので、健康被害の発生を防止できる。
【００９９】
〔人工足首インプラント１５５〕
図１９は、本発明の実施形態に係る人工足首インプラント１５５を示す図である。
人工足首インプラント（インプラント）１５５は、脛骨（骨）１５２に固定される脛骨コンポーネント１５６と、脛骨コンポーネント１５６に対して摺接する距骨コンポーネント１５７と、を備えている。距骨コンポーネント１５７は、距骨１５３に固定される。
【０１００】
脛骨コンポーネント（インプラント体、基端側骨コンポーネント）１５６は、円弧形に窪むカップ１５６ａを有し、脛骨１５２に固定される。
距骨コンポーネント（接続体、先端側骨コンポーネント）１５７は、円弧形に突出するヘッド１５７ａを有し、距骨１５３に固定される。ヘッド１５７ａは、カップ１５６ａに摺接する。
カップ（被接触部、被摺接部）１５６ａとヘッド（接触部、摺接部）１５７ａは、それぞれジルコニア等のセラミックス材料により形成される。カップ１５６ａとヘッド１５７ａの表面には、封止膜９がコーティングされる。
【０１０１】
このため、人工足首インプラント１５５は、カップ１５６ａに対してヘッド１５７ａが摺接して磨耗粉が発生しても、封止膜９が磨耗粉を封じ込める（封止する）。つまり、人工股関節インプラント１０５と同一の作用効果を奏する。
よって、人工足首インプラント１５５は、長期間に亘って破損を防止できる。また、セラミックスの磨耗粉の放出を封止膜９が阻止するので、健康被害の発生を防止できる。
【０１０２】
〔本発明に含まれるその他の構成〕
本発明の技術範囲は、上述した実施形態に限定されるものではなく、本発明の趣旨を逸脱しない範囲において、上述した実施形態に種々の変更を加えたものを含む。実施形態で挙げた具体的な材料等はほんの一例に過ぎず、適宜変更が可能である。
【０１０３】
歯科用インプラント５において、フィクスチャー１０がテーパー穴部１４を有し、アバットメント２０がテーパー軸部２２を有する場合に限らない。フィクスチャー１０がテーパー軸部２２を有し、アバットメント２０がテーパー穴部１４を有する場合であってもよい。
【０１０４】
歯科用インプラント５において、封止膜９は、アバットメント２０のテーパー軸部２２に固着される場合に限らない。フィクスチャー１０のテーパー穴部１４のみに配置される場合であってもよい。テーパー穴部１４とテーパー軸部２２の両方に配置される場合であってもよい。
封止膜９は、耐圧部６０（テーパー穴部１４、テーパー軸部２２）に配置されていればよく、テーパー穴部１４やテーパー軸部２２から取り外し可能であってもよい。
【０１０５】
封止膜９は、耐圧部６０と回転防止部７０（突起１７、溝部２３）の両方に配置される場合に限らない。封止膜９は、耐圧部６０に配置されていればよい。
【０１０６】
人工股関節インプラント１０５等では、骨盤コンポーネント１０６等の基端側骨コンポーネントがインプラント体、大腿骨コンポーネント１０７等の先端側骨コンポーネントが接続体に該当した。このように、接続体は、インプラント体と同様に、骨に固定される場合であってもよい。
基端側骨コンポーネントが接続体、先端側骨コンポーネントがインプラント体に該当する場合であってもよい。
なお、カップ１０６ａ等は、骨受、ソケット、アセタブラーシェルまたはグレノイド等とも呼ばれる場合がある。ヘッド１０７ｂ等は、骨頭、ボールまたはグレノスフェア等とも呼ばれる場合がある。
【０１０７】
人工股関節インプラント１０５等において、封止膜９は、カップ１０６ａ等とヘッド１０７ｂ等の両方に配置される場合に限らない。カップ１０６ａ等のみに配置される場合や、ヘッド１０７ｂ等のみに配置される場合であってもよい。
封止膜９は、カップ１０６ａ等やヘッド１０７ｂ等から取り外し可能であってもよい。
【０１０８】
封止体は、膜状の形態（封止膜９）に限らない。封止体は、膜以外の形態であってもよい。封止体は、例えばシート状、テープ状、紐状、粒状、粉状等の形態であってもよい。
【０１０９】
歯科用インプラント５のフィクスチャー１０やアバットメント２０、人工股関節インプラント１０５等のカップ１０６ａ等やヘッド１０７ｂ等は、ジルコニア（酸化ジルコニウム）により形成される場合に限らない。
これらの部材は、アルミナ（酸化アルミニウム）や酸化イットリウム、酸化ハフニウム、酸化シリコーン、酸化マグネシウム、酸化セリウム等の生体適合性セラミックス材料であってもよい。
で形成してもよい。
【０１１０】
フィクスチャー１０またはアバットメント２０のいずれか一方は、チタンやチタン合金等の金属材料で形成してもよい。
セラミックス製のフィクスチャー１０と金属製のアバットメント２０の組み合わせでは、テーパー穴部１４に封止膜９を配置することにより、テーパー穴部１４から発生した磨耗粉を封止できる。
セラミックス製のフィクスチャー１０と金属製のアバットメント２０の組み合わせでは、テーパー軸部２２に封止膜９を配置することにより、テーパー穴部１４から発生した磨耗粉を封止できる。
金属製のフィクスチャー１０とセラミックス製のアバットメント２０の組み合わせでは、テーパー穴部１４に封止膜９を配置することにより、テーパー軸部２２から発生した磨耗粉を封止できる。
金属製のフィクスチャー１０とセラミックス製のアバットメント２０の組み合わせでは、テーパー軸部２２に封止膜９を配置することにより、テーパー軸部２２から発生した磨耗粉を封止できる。
【０１１１】
基端側骨コンポーネント（骨盤コンポーネント１０６等）または先端側骨コンポーネント（大腿骨コンポーネント１０７等）のいずれか一方は、チタンやチタン合金等の金属材料で形成してもよい。具体的には、被摺接部（カップ１０６ａ等）または摺接部（ヘッド１０７ｂ等）のいずれか一方は、金属材料で形成してもよい。
セラミックス製の基端側骨コンポーネントと金属製の先端側骨コンポーネントの組み合わせでは、被摺接部に封止膜９を配置することにより、被摺接部から発生した磨耗粉を封止できる。
セラミックス製の基端側骨コンポーネントと金属製の先端側骨コンポーネントの組み合わせでは、摺接部に封止膜９を配置することにより、被摺接部から発生した磨耗粉を封止できる。
金属製の基端側骨コンポーネントとセラミックス製の先端側骨コンポーネントの組み合わせでは、被摺接部に封止膜９を配置することにより、摺接部から発生した磨耗粉を封止できる。
金属製の基端側骨コンポーネントとセラミックス製の先端側骨コンポーネントの組み合わせでは、摺接部に封止膜９を配置することにより、摺接部から発生した磨耗粉を封止できる。
【０１１２】
人工関節インプラントは、股関節等の他、手首、指関節または顎関節等の関節に配置される場合であってもよい。
【０１１３】
インプラント（歯科用インプラント、人工関節インプラント）は、人間に限らず、犬や猫等のペット、牛や馬等の家畜に適用される場合であってもよい。
【符号の説明】
【０１１４】
２  歯槽骨（骨）    ５  歯科用インプラント（インプラント）    ９  封止膜（封止体）    １０  フィクスチャー（インプラント体）    １４  テーパー穴部（被接触部、被嵌合部）    ２０  アバットメント（接続体）    ２２  テーパー軸部（接触部、嵌合部）    １０２  骨盤（骨）    １０３  大腿骨（骨）    １０５  人工股関節インプラント（インプラント）    １０６  骨盤コンポーネント（インプラント体、基端側骨コンポーネント）    １０６ｂ  カップ（被接触部、被摺接部）    １０７  大腿骨コンポーネント（接続体、先端側骨コンポーネント）    １０７ｂ  ヘッド（接触部、摺接部）    １１２  大腿骨（骨）    １１３  脛骨（骨）    １１５  人工膝関節インプラント（インプラント）    １１６  大腿骨コンポーネント（インプラント体、基端側骨コンポーネント）    １１６ａ  ヘッド（被接触部、被摺接部）    １１７  脛骨コンポーネント（接続体、先端側骨コンポーネント）    １１７ｂ  カップ（接触部、摺接部）    １２２  肩甲骨（骨）    １２３  上腕骨（骨）    １２５  人工肩関節インプラント（インプラント）    １２６  肩甲骨コンポーネント（インプラント体、基端側骨コンポーネント）    １２６ａ  カップ（被接触部、被摺接部）    １２７  上腕骨コンポーネント（接続体、先端側骨コンポーネント）    １２７ｂ  ヘッド（接触部、摺接部）    １３５  反転型人工肩関節インプラント（インプラント）    １２７ｂ  ヘッド（被接触部、被摺接部）    １２６ａ  カップ（接触部、摺接部）    １４２  上腕骨（骨）    １４３  橈骨（尺骨）（骨）    １４５  人工肘関節インプラント（インプラント）    １４６  上腕骨コンポーネント（インプラント体、基端側骨コンポーネント）    １４６ｂ  カップ（被接触部、被摺接部）    １４７  橈骨コンポーネント（接続体、先端側骨コンポーネント）    １４７ａ  ヘッド（接触部、摺接部）    １５２  脛骨（骨）    １５３  距骨（骨）    １５５  人工足首インプラント（インプラント）    １５６  脛骨コンポーネント（インプラント体、基端側骨コンポーネント）    １５６ａ  カップ（被接触部、被摺接部）    １５７  距骨コンポーネント（接続体、先端側骨コンポーネント）    １５７ａ  ヘッド（接触部、摺接部）    
【図１】
2017002223.tif 000003
【図２】
2017002223.tif 000004
【図３】
2017002223.tif 000005
【図４】
2017002223.tif 000006
【図５】
2017002223.tif 000007
【図６】
2017002223.tif 000008
【図７】
2017002223.tif 000009
【図８】
2017002223.tif 000010
【図９】
2017002223.tif 000011
【図１０】
2017002223.tif 000012
【図１１】
2017002223.tif 000013
【図１２】
2017002223.tif 000014
【図１３】
2017002223.tif 000015
【図１４】
2017002223.tif 000016
【図１５】
2017002223.tif 000017
【図１６】
2017002223.tif 000018
【図１７】
2017002223.tif 000019
【図１８】
2017002223.tif 000020
【図１９】
2017002223.tif 000021
【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
歯槽骨に埋め込まれるセラミックス製のフィクスチャーと、
前記フィクスチャーに形成された被嵌合部に対して嵌合する嵌合部を有するセラミックス製のアバットメントと、
前記被嵌合部と前記嵌合部の間に配置されて、前記被嵌合部と前記嵌合部から発生した磨耗粉の堆積を防止する封止体と、
を備える歯科用インプラント。
【請求項２】
前記封止体は、前記磨耗粉の発生を防止する請求項１に記載の歯科用インプラント。
【請求項３】
前記封止体は、前記歯槽骨に触れない領域に配置される請求項１または２に記載の歯科用インプラント。
【請求項４】
前記封止体は、前記被嵌合部と前記嵌合部の両方又はいずれか一方に、固着される請求項１から３のうちいずれか一項に記載の歯科用インプラント。
【請求項５】
前記封止体は、耐放射線性と耐熱性を有する請求項４に記載の歯科用インプラント。
【請求項６】
前記封止体は、パラキシリレンの重合体からなる請求項１から５のうちいずれか一項に記載の歯科用インプラント。
【請求項７】
前記封止体は、厚みが０．１μｍ以上、５０μｍ以下である請求項１から６のうちいずれか一項に記載の歯科用インプラント。
【請求項８】
前記被嵌合部は、奥行方向に向かって縮径するテーパー穴部であり、
前記嵌合部は、基端側に向かって縮径するテーパー軸部である
請求項１から７のうちいずれか一項に記載の歯科用インプラント。
【請求項９】
歯槽骨に固定されるセラミックス製のフィクスチャーであって、
金属製のアバットメントに形成された嵌合部が嵌合する被嵌合部を有し、
前記被嵌合部から発生した磨耗粉の堆積を防止する封止体が前記被嵌合部に配置されるフィクスチャー。
【請求項１０】
歯槽骨に固定される金属製のフィクスチャーであって、
セラミックス製のアバットメントに形成された嵌合部が嵌合する被嵌合部を有し、
前記嵌合部から発生した磨耗粉の堆積を防止する封止体が前記被嵌合部に配置されるフィクスチャー。
【請求項１１】
歯槽骨に固定される金属製のフィクスチャーに嵌合するセラミックス製のアバットメントであって、
前記フィクスチャーに形成された被嵌合部に嵌合する嵌合部を有し、
前記嵌合部から発生した磨耗粉の堆積を防止する封止体が前記嵌合部に配置されるアバットメント。
【請求項１２】
歯槽骨に固定されるセラミックス製のフィクスチャーに嵌合する金属製のアバットメントであって、
前記フィクスチャーに形成された被嵌合部に嵌合する嵌合部を有し、
前記被嵌合部から発生した磨耗粉の堆積を防止する封止体が前記嵌合部に配置されるアバットメント。
【手続補正２】
【補正対象書類名】明細書
【補正対象項目名】全文
【補正方法】変更
【補正の内容】
【発明の詳細な説明】
【技術分野】
【０００１】
本発明は、インプラント、フィクスチャー、アバットメントに関する。例えば顎の骨に埋め込まれる歯科用インプラントに関する。
【背景技術】
【０００２】
体内に埋め込まれるインプラントが注目されている。
例えば歯科用インプラントは、虫歯や破損により永久歯の歯根が失われた場合に、歯槽骨に設けた穴に挿入して固定するものである。この歯科用インプラントは、歯槽骨に固定されるフィクスチャー（人工歯根）と、フィクスチャーに螺着されるアバットメント（支台）とで構成される。アバットメントには、インプラントクラウン（人工歯冠）が装着される。
歯科用インプラント（フィクスチャー、アバットメント）は、チタンやチタン合金等の金属の他、アルミナやジルコニア等のセラミックスにより形成される。
【０００３】
特許文献１に記載されるように、フィクスチャーは、先端面に開口する穴部を有する。この穴部には、テーパー穴部が形成される。アバットメントには、上記テーパー穴部に挿入されるテーパー軸部が形成される。テーパー穴部及びテーパー軸部は、咬合圧を受け止める耐圧部となる。
【０００４】
フィクスチャーの穴部にアバットメントを差し込むことにより、テーパー穴部にテーパー軸部が楔状に入り込む。これにより、フィクスチャーとアバットメントが嵌合する。
【先行技術文献】
【特許文献】
【０００５】
【特許文献１】特開２００４−１１３７１８号公報
【発明の概要】
【発明が解決しようとする課題】
【０００６】
セラミックス製の歯科用インプラントでは、耐圧部（テーパー穴部、テーパー軸部）に亀裂が発生しやすいという問題がある。
テーパー穴部とテーパー軸部は、密着（接触）して、咬合圧を繰り返し受ける。フィクスチャーやアバットメントがセラミックス製の場合には、耐圧部から微細な磨耗粉が発生する。そして、この磨耗粉が耐圧部に溜まると、テーパー穴部とテーパー軸部の接触が阻害されて、耐圧部の一部に応力集中が起こる。
【０００７】
セラミックスは、脆性材料であるため、金属のように塑性変形しない。このため、耐圧部の一部に応力集中が起こると、耐圧部に亀裂が発生する。最悪の場合には、亀裂が進行して、フィクスチャーやアバットメントが破損してしまう。
【０００８】
本発明の目的は、セラミックスを用いた歯科用インプラントにおいて、長期間に亘って亀裂発生や破損を防止できるインプラント、フィクスチャー、アバットメントを提供することである。
【課題を解決するための手段】
【０００９】
本発明に係る歯科用インプラントの第一実施態様は、歯槽骨に埋め込まれるセラミックス製のフィクスチャーと、前記フィクスチャーに形成された被嵌合部に対して嵌合する嵌合部を有するセラミックス製のアバットメントと、前記被嵌合部と前記嵌合部の間に配置されて、前記被嵌合部と前記嵌合部から発生した磨耗粉の堆積を防止する封止体と、を備えることを特徴とする。
【００１０】
本発明に係る歯科用インプラントの第二実施態様は、第一実施態様において、前記封止体は、前記磨耗粉の発生を防止することを特徴とする。
【００１１】
本発明に係る歯科用インプラントの第三実施態様は、第一または第二実施態様において、前記封止体は、前記歯槽骨に触れない領域に配置されることを特徴とする。
【００１２】
本発明に係る歯科用インプラントの第四実施態様は、第一から第三実施態様のいずれかにおいて、前記封止体は、前記被嵌合部と前記嵌合部の両方又はいずれか一方に、固着されることを特徴とする。
【００１３】
本発明に係る歯科用インプラントの第五実施態様は、第四実施態様において、耐放射線性と耐熱性を有することを特徴とする。
【００１４】
本発明に係る歯科用インプラントの第六実施態様は、第一から第五実施態様のいずれかにおいて、前記封止体は、パラキシリレンの重合体からなることを特徴とする。
【００１５】
本発明に係る歯科用インプラントの第七実施態様は、第一から第六実施態様のいずれかにおいて、前記封止体は、厚みが０．１μｍ以上、５０μｍ以下であることを特徴とする。
【００１６】
本発明に係る歯科用インプラントの第八実施態様は、第一から第七実施態様のいずれかにおいて、前記被嵌合部は、奥行方向に向かって縮径するテーパー穴部であり、前記嵌合部は、基端側に向かって縮径するテーパー軸部であることを特徴とする。
【００１７】
本発明に係るフィクスチャーの第一実施態様は、歯槽骨に固定されるセラミックス製のフィクスチャーであって、金属製のアバットメントに形成された嵌合部が嵌合する被嵌合部を有し、前記被嵌合部から発生した磨耗粉の堆積を防止する封止体が前記被嵌合部に配置されることを特徴とする。
【００１８】
本発明に係るフィクスチャーの第二実施態様は、歯槽骨に固定される金属製のフィクスチャーであって、セラミックス製のアバットメントに形成された嵌合部が嵌合する被嵌合部を有し、前記嵌合部から発生した磨耗粉の堆積を防止する封止体が前記被嵌合部に配置されることを特徴とする。
【００１９】
本発明に係るアバットメントの第一実施態様は、歯槽骨に固定される金属製のフィクスチャーに嵌合するセラミックス製のアバットメントであって、前記フィクスチャーに形成された被嵌合部に嵌合する嵌合部を有し、前記嵌合部から発生した磨耗粉の堆積を防止する封止体が前記嵌合部に配置されることを特徴とする。
【００２０】
本発明に係るアバットメントの第二実施態様は、歯槽骨に固定されるセラミックス製のフィクスチャーに嵌合する金属製のアバットメントであって、前記フィクスチャーに形成された被嵌合部に嵌合する嵌合部を有し、前記被嵌合部から発生した磨耗粉の堆積を防止する封止体が前記嵌合部に配置されることを特徴とする。
【発明の効果】
【００２１】
本発明に係るインプラント、フィクスチャー、アバットメントは、セラミックスの磨耗粉の堆積を防止する。これにより、長期間に亘ってセラミックスにおける亀裂発生や破損を防止できる
【図面の簡単な説明】
【００２２】
【図１】本発明の実施形態に係る歯科用インプラント５を示す図である。
【図２】歯科用インプラント５の分解斜視図である。
【図３】歯科用インプラント５の側面図である。
【図４】歯科用インプラント５を示す図であって、（ａ）上面図、（ｂ）縦断面図（IV−IV断面）である。
【図５】歯科用インプラント５の横断面図であって、（ａ）Vａ−Vａ断面、（ｂ）Vｂ−Vｂ断面、（ｃ）Vｃ−Vｃ断面、（ｄ）Vｄ−Vｄ断面、（ｅ）Vｅ−Vｅ断面、（ｆ）Vｆ−Vｆ断面である。
【図６】フィクスチャー１０を示す縦断面図である。
【図７】アバットメントユニット８を示す図であって、（ａ）上面図、（ｂ）側面及び縦断面図（VIIｂ−VIIｂ断面）、（ｃ）下面図である。
【図８】アバットメント２０を示す図であって、（ａ）側面図、（ｂ）縦断面図（VIIIｂ−VIIIｂ断面）、（ｃ）下面図である。
【図９】クランパピン３０を示す図であって、（ａ）側面図、（ｂ）下面図である。
【図１０】クランパ４０を示す図であって、（ａ）側面図、（ｂ）下面図、（ｃ）縦断面図（Xｃ−Xｃ断面）である。
【図１１】ロックナット５０を示す図であって、（ａ）上面図、（ｂ）縦断面図（XIｂ−XIｂ断面）である。
【図１２】歯科用インプラント５の疲労試験（比較試験）の結果を示す図である。
【図１３】歯科用インプラント５の疲労試験（耐久試験）の結果を示す図である。
【発明を実施するための形態】
【００２３】
本発明の実施形態につき図面を参照して説明する。下記説明において示す各種寸法等は一例である。
【００２４】
〔歯科用インプラント５〕
図１は、本発明の実施形態に係る歯科用インプラント５を示す図である。
歯科用インプラント５は、歯槽骨２に固定されるフィクスチャー１０と、フィクスチャー１０に嵌合するアバットメントユニット８と、を備えている。アバットメントユニット８には、インプラントクラウン６が装着される。
インプラントクラウン６よりも基端側は、歯茎４に覆われる。
【００２５】
歯科用インプラント５の長手方向をＺ方向、軸方向または縦と言う。Ｚ方向のうち、フィクスチャー１０側を＋Ｚ方向、＋Ｚ側、基端側または奥行方向と言う。＋Ｚ方向の端部を基端と呼ぶ。
Ｚ方向のうち、インプラントクラウン６側を−Ｚ方向、−Ｚ側または先端側と言う。−Ｚ方向の端部を先端と呼ぶ。Ｚ方向に直行する方向を横と呼ぶ。
＋Ｚ方向から見たときを下面図、−Ｚ方向から見たときを上面図とする。
【００２６】
フィクスチャー１０の外周面には、雄ネジ１２が形成される。フィクスチャー１０は、雄ネジ１２を歯槽骨２に形成した穴に螺合することにより、歯槽骨２に固定される。アバットメントユニット８の先端側（−Ｚ方向）の外周面には、インプラントクラウン６が接着剤等を用いて装着される。
【００２７】
図２は、本実施形態の歯科用インプラント５の分解斜視図である。
図３は、歯科用インプラント５の側面図である。
図４は、歯科用インプラント５を示す図であって、（ａ）上面図、（ｂ）縦断面図（IV−IV断面）である。
図５は、歯科用インプラント５の横断面図であって、（ａ）Vａ−Vａ断面、（ｂ）Vｂ−Vｂ断面、（ｃ）Vｃ−Vｃ断面、（ｄ）Vｄ−Vｄ断面、（ｅ）Vｅ−Vｅ断面、（ｆ）Vｆ−Vｆ断面である。
図６は、アバットメントユニット８を示す縦断面図である。
【００２８】
歯科用インプラント５は、フィクスチャー１０とアバットメントユニット８を備える。アバットメントユニット８は、アバットメント２０、クランパピン３０、クランパ４０及びロックナット５０を組み立てたものである。
また、歯科用インプラント５は、フィクスチャー１０とアバットメントユニット８（アバットメント２０）の間に配置される封止膜９を備える。
【００２９】
〔フィクスチャー１０〕
図７は、フィクスチャー１０を示す図であって、（ａ）上面図、（ｂ）側面及び縦断面図（VIIｂ−VIIｂ断面）、（ｃ）下面図である。
フィクスチャー１０は、円柱形の部材であり、ジルコニア等のセラミックス材料により形成される。
【００３０】
フィクスチャー１０の外周面には、雄ネジ１２が設けられる。
フィクスチャー１０の−Ｚ側の端面の中心には、中心穴１３が開口する。中心穴１３には、奥行き方向（＋Ｚ方向）に向かって、テーパー穴部１４、逆テーパー穴部１５及び係合穴部１６が連続して形成される。
テーパー穴部（被嵌合部）１４は、＋Ｚ方向に向かうにしたがって内径が徐々に縮小（縮径）する。逆テーパー穴部１５は、＋Ｚ方向に向かうにしたがって内径が徐々に拡大（拡径）する。係合穴部１６には、平行かつ対向する二つの内側面からなる平行二面１６Ａが形成される。
【００３１】
テーパー穴部１４のテーパー角は、例えば４°である。テーパー穴部１４の長さ（深さ）は、フィクスチャー１０の全長（例えば１０ｍｍ）の１／３以上の長さ（例えば４〜５ｍｍ）に形成される。好ましくは、テーパー穴部１４の長さは、フィクスチャー１０の全長（例えば１２ｍｍ）の３／５程度の長さ（例えば８ｍｍ）に形成される。
テーパー穴部１４の内周側面には、Ｚ方向に沿う複数の突起１７が形成される。複数の突起１７は、中心穴１３の周方向において、等間隔（等角度）に配置される。突起１７は５本である。突起１７の横断面の形状は、半円弧形に膨らむ形状である。
【００３２】
逆テーパー穴部１５には、＋Ｚ方向に向かって、小径部１５Ａ、逆テーパー部１５Ｂ及び大径部１５Ｃが連続して形成される。小径部１５Ａの内径は、テーパー穴部１４の最小内径よりも小さい。
逆テーパー部１５Ｂは、＋Ｚ方向に向かうにしたがって内径が徐々に拡大（拡径）する。逆テーパー部１５Ｂのテーパー角は、例えば１０°である。逆テーパー部１５Ｂの長さ（深さ）は、例えば０．２５ｍｍである。
大径部１５Ｃの内径は、小径部１５Ａの内径よりも大きい。大径部１５Ｃの長さ（深さ）は、例えば１．０ｍｍである。
したがって、逆テーパー穴部１５の小径部１５Ａは、中心穴１３の内周側に突出する。
【００３３】
係合穴部１６は、対向する二つの円弧形の内周側面と、平行かつ対向する二つの内側面（平行二面１６Ａ）とからなる。係合穴部１６の長さ（深さ）は、例えば０．８ｍｍである。二つの平行二面１６Ａの幅（二面幅）は、約０．７ｍｍである。
【００３４】
〔アバットメント２０〕
図８は、アバットメント２０を示す図であって、（ａ）側面図、（ｂ）縦断面図（VIIIｂ−VIIIｂ断面）、（ｃ）下面図である。
アバットメント２０は、軸形部材であり、審美性に優れた白色のセラミックス材料により形成される。セラミックス材料には、例えばジルコニアが用いられる。アバットメント２０は、基端側がフィクスチャー１０の中心穴１３に嵌め込まれ、先端側にはインプラントクラウン６が装着される。
【００３５】
アバットメント２０は、本体部２１とテーパー軸部２２とからなる。
本体部２１には、インプラントクラウン６が装着される。テーパー軸部２２は、本体部２１の基端側（＋Ｚ側）から延設して、フィクスチャー１０の中心穴１３に内挿される。
【００３６】
テーパー軸部（嵌合部）２２のテーパー角は、例えば４°である。つまり、フィクスチャー１０の中心穴１３のテーパー穴部１４の角度と同一である。
テーパー軸部２２の長さは、テーパー穴部１４と同一又は長く形成される。テーパー軸部２２の長さは、例えば、８．１ｍｍである。
【００３７】
テーパー軸部２２の外周側面には、Ｚ方向に沿って、複数の溝部２３が形成される。複数の溝部２３は、テーパー軸部２２の周方向において、等間隔（等角度）に配置される。溝部２３は５本である。つまり、テーパー穴部１４の内周側面に形成される突起１７と同数である。
溝部２３の横断面の形状は、半円弧形に窪む形状である。つまり、テーパー穴部１４の内周側面に形成される突起１７とは逆の形状である。
【００３８】
フィクスチャー１０の中心穴１３にアバットメント２０のテーパー軸部２２を挿入すると、テーパー軸部２２が中心穴１３のテーパー穴部１４に嵌合する。
テーパー穴部１４にテーパー軸部２２を密着（接触）させることで、アバットメントユニット８（アバットメント２０）に作用する外力（咬合圧Ｆ）を受け止めることができる。つまり、テーパー穴部１４とテーパー軸部２２は、耐圧部６０として機能する（図５（ｃ），（ｄ）参照）。
【００３９】
テーパー軸部２２がテーパー穴部１４に嵌合すると同時に、５本の溝部２３が５本の突起１７に差し込まれて密着する。
５本の突起１７と５本の溝部２３が噛合うので、フィクスチャー１０に対するアバットメント２０の回転が抑止できる。つまり、突起１７と溝部２３は、回転防止部７０として機能する（図５（ｃ），（ｄ）参照）。
【００４０】
アバットメント２０の中心には、Ｚ方向に貫通する貫通孔２４が形成される。
貫通孔２４のうち、本体部２１に対応する部位（本体部側貫通孔２４Ａ）は、内径が約２．５ｍｍに形成される。本体部側貫通孔２４Ａには、ロックナット５０が挿入される。
貫通孔２４のうち、テーパー軸部２２に対応する部位（テーパー軸部側貫通孔２４Ｂ）は、内径が約１ｍｍに形成される。テーパー軸部側貫通孔２４Ｂには、クランパピン３０の本体部３１がほぼ隙間なく挿通される。
本体部側貫通孔２４Ａとテーパー軸部側貫通孔２４Ｂの境には、−Ｚ方向を向く段差面２５が形成される。
【００４１】
〔封止膜９〕
封止膜（封止体）９は、アバットメント２０のテーパー軸部２２に配置（固着）される。封止膜９は、静止状態において、せん断応力が発生する固体である。すなわち、封止膜９は、流動体や液状体の様に移動可能する物体とは異なる。具体的には、封止膜９は、コーキング剤や接着剤等とは異なる物体である。
【００４２】
封止膜９は、例えば樹脂膜である。封止膜９は、例えばパラキシリレンの重合体からなる。パラキシリレンの重合体は、無色透明である。
パラキシリレンの重合体には、例えば、第三化成株式会社のｄｉＸ（登録商標）や日本パリレン合同会社のパリレン（登録商標）を用いることができる。
パラキシリレンの重合体は、人体に対して安全であり、耐摩耗、耐薬品、絶縁性、防湿性が高い樹脂である。このため、パラキシリレンの重合体は、歯科用インプラント５に配置する材料として好適である。
【００４３】
封止膜９は、アバットメント２０のテーパー軸部２２にコーティングされる。封止膜９は、化学蒸着法（ＣＶＤ）によりコーティング（成膜）される。封止膜９は、テーパー軸部２２のほぼ全体（全域）に亘ってコーティングされる（図８参照）。封止膜９は、テーパー軸部２２に形成された５本の溝部２３にもコーティングされる。つまり、封止膜９は、アバットメント２０の表面のうち、フィクスチャー１０が接触する領域に配置される。
封止膜９は、ほぼ均一の膜厚にコーティングされる。封止膜９の膜厚（厚み）は、０．１μｍ〜５０μｍである。好ましくは、１μｍ〜２０μｍである。
【００４４】
封止膜９は、アバットメント２０を滅菌（殺菌）処理する前にコーティングされ、その後に加熱処理される。つまり、封止膜９が配置されたアバットメント２０は、γ線滅菌処理され、その後に１００〜３００℃の温度で加熱処理される。ジルコニアで形成されたアバットメント２０は、γ線滅菌処理を施すと濃茶色化する。その後に加熱処理を施して、アバットメント２０は白色化して審美性を向上させる（WO2015/025656,JP2015039422A1参照）。
このため、封止膜９は、γ線照射と加熱により変質しない性質（耐放射線性、耐熱性）が求められる。パラキシリレンの重合体は、耐放射線性と耐熱性を有するので、封止膜９として好適である。
【００４５】
封止膜９は、歯槽骨２に触れる部位にはコーティングされない。封止膜９が歯槽骨２に触れると、歯科用インプラント５との骨結合（osseointegration）が阻害されるおそれがあるからである。アバットメント２０は、歯槽骨２に触れないので、アバットメント２０の全面に封止膜９をコーティングしてもよい。
【００４６】
封止膜９は、テーパー軸部２２の表面に存在する凹凸に入り込む。特に、封止膜９がパラキシリレンの重合体からなるので、封止膜９が微細な凸凹のある表面に対して、均一な膜厚でピンホールもなくコーティングされる。封止膜９は、液状コーティングでは入り込むことが困難な、微細な凸凹にもコーティングされる。
【００４７】
〔クランパピン３０〕
図９は、クランパピン３０を示す図であって、（ａ）側面図、（ｂ）下面図である。
クランパピン３０は、細長い軸形部材であり、チタンまたはチタン合金により形成される。クランパピン３０は、アバットメント２０の貫通孔２４に挿通される。また、クランパピン３０は、フィクスチャー１０に係合する。クランパピン３０の本体部３１の直径は、約１ｍｍである。クランパピン３０の基端側（＋Ｚ側）には、テーパー部３２及び係合軸部３３が設けられる。
【００４８】
テーパー部３２は、＋Ｚ方向に向かうにしたがって外径が徐々に拡大（拡径）する。テーパー部３２の角度は、約４０°である。テーパー部３２は、フィクスチャー１０の中心穴１３に形成された逆テーパー穴部１５に収容される。
係合軸部３３には、円柱軸に平行かつ背向する二つ外側面（平行二面３３Ａ）が形成される。平行二面３３Ａの幅（二面幅）は、約０．８ｍｍである。係合軸部３３は、中心穴１３の最深部に形成された係合穴部１６に嵌め込まれる。
【００４９】
クランパピン３０の先端側（−Ｚ側）には、Ｍ１サイズの右ネジである雄ネジ３４が設けられる。雄ネジ３４のネジ寸法等は、本体部３１の直径等に応じて、適宜変更可能である。クランパピン３０は、歯科用インプラント５を組み立てたときに、雄ネジ３４がアバットメント２０の貫通孔２４の本体部側貫通孔２４Ａに露出（位置）する長さに形成される。
【００５０】
〔クランパ４０〕
図１０は、クランパ４０を示す図であって、（ａ）側面図、（ｂ）下面図、（ｃ）縦断面図（Xｃ−Xｃ断面）である。
クランパ４０は、リング形の部材であり、チタンまたはチタン合金により形成される。クランパ４０は、クランパピン３０に嵌め合わされる。
クランパ４０の外径は、フィクスチャー１０の中心穴１３の逆テーパー穴部１５の最小内径（小径部１５Ａの内径）より僅かに小径である。クランパ４０の外径は、例えば約１．４ｍｍである。
クランパ４０の内径は、約１ｍｍである。クランパ４０は、クランパピン３０に外嵌して用いられる。クランパ４０は、クランパピン３０のテーパー部３２に引っ掛かる位置に配置される。クランパ４０は、歯科用インプラント５を組み立てたときに、フィクスチャー１０の中心穴１３の逆テーパー穴部１５に収容される。クランパ４０の外径を逆テーパー穴部１５の最小内径よりも僅かに大径に形成して、逆テーパー穴部１５に押し入れてもよい。
【００５１】
クランパ４０の基端側（＋Ｚ側）には、８本の櫛歯４１が形成される。櫛歯４１は、クランパ４０がクランパピン３０のテーパー部３２の乗り上がったときに、外周側に向けて弾性変形して広がる。
クランパ４０の櫛歯４１は、いわゆるコレットチャックと同様な動作をする。クランパ４０の櫛歯４１が外周側に向けて広がると、クランパ４０の最大外径は、テーパー穴部１４の最小内径（小径部１５Ａの内径）よりも大径になる。このため、クランパ４０は、逆テーパー穴部１５の小径部１５Ａに引っ掛かる。したがって、クランパ４０が外嵌されたクランパピン３０は、−Ｚ方向への移動が抑止される。
【００５２】
〔ロックナット５０〕
図１１は、ロックナット５０を示す図であって、（ａ）上面図、（ｂ）縦断面図（XIｂ−XIｂ断面）である。
ロックナット５０は、リング形（円筒形）部材であり、チタンまたはチタン合金により形成される。ロックナット５０は、アバットメント２０の貫通孔２４に挿入されて、クランパピン３０に螺合する。
ロックナット５０の内周面には、Ｍ１サイズの右ネジである雌ネジ５２が設けられる。雌ネジ５２のネジ寸法等は、雄ネジ３４に対応して適宜変更可能である。
ロックナット５０の基端側（＋Ｚ側）の端面５０Ａは、アバットメント２０の貫通孔２４の段差面２５に当接（係合）しつつ、中心軸回りに回転可能に形成される。
ロックナット５０の先端側（−Ｚ側）の端面５０Ｂには、マイナスドライバ（不図示）が挿入される直線溝５３が設けられる。つまり、マイナスドライバをこの直線溝５３に係合して回転させると、ロックナット５０が回転する。
【００５３】
ロックナット５０は、アバットメント２０の貫通孔２４（本体部側貫通孔２４Ａ）に挿入される。ロックナット５０の外周面５０Ｓと本体部側貫通孔２４Ａとの間には、僅かな隙間が設けられる。ロックナット５０の雌ネジ５２は、本体部側貫通孔２４Ａに露出するクランパピン３０の雄ネジ３４に螺合する。
このため、歯科用インプラント５を組み立てた状態で、ロックナット５０を右回転させると、ロックナット５０の端面５０Ａがアバットメント２０の貫通孔２４の段差面２５に当接しつ摺動する。これと同時に、雌ネジ５２に螺合するクランパピン３０がアバットメント２０に対して−Ｚ方向に移動する。
【００５４】
〔歯科用インプラント５の組み立て〕
歯科用インプラント５の組み立ては、WO2012/070606A1に記載された組み立てと同一であるため、その説明を省略する。
（JP2012110601A1(JP5688757B2),US2013224689A1(US8740615B2),EP2644151A1,CN103118624A1参照）
【００５５】
〔検証試験〕
図１２は、歯科用インプラント５の疲労試験の結果を示す図である（比較試験）。
図１３は、歯科用インプラント５の疲労試験の結果を示す図である（耐久試験）。
図１２、図１３のグラフにおいて、縦軸は繰り返し荷重の振幅（ｍｍ）、横軸は繰り返し荷重の回数（cycle）を示す。
【００５６】
封止膜９の効果を検証するため、２つの歯科用インプラント５Ａ，５Ｂに対して繰り返し荷重を加える疲労試験を行った。歯科用インプラント５Ａ，５Ｂは、封止膜９の有無以外は、同一構成である。
歯科用インプラント５Ａは、上述した歯科用インプラント５と同一であって、テーパー穴部１４とテーパー軸部２２の間に封止膜９を備える。
歯科用インプラント５Ｂは、上述した歯科用インプラント５とは異なって、テーパー穴部１４とテーパー軸部２２の間に封止膜９を備えない。
【００５７】
２つの歯科用インプラント５Ａ，５Ｂに対して、ＩＳＯ１４８０１規格に準拠した疲労試験機を用いて疲労試験を行った。具体的には、歯科用インプラント５Ａ，５Ｂに対して、２００Ｎの荷重を２Ｈｚのサイクルで繰り返し加えた。
（ISO 14801:2007  Dentistry - Implants - Dynamic fatigue test for endosseous dental implants）
【００５８】
フィクスチャー１０とアバットメント２０は、脆性材料であるジルコニアによりそれぞれ形成されている。このため、テーパー穴部１４とテーパー軸部２２が衝突し合うと、磨耗粉が発生する。この磨耗粉は、テーパー穴部１４とテーパー軸部２２の間に形成される僅かな隙間に沿って、重力に従って落下（移動）する。このため、磨耗粉が耐圧部６０や回転防止部７０の一部に堆積する。
磨耗粉が耐圧部６０や回転防止部７０の一部に堆積すると、耐圧部６０や回転防止部７０に掛かる外力が不均一になる。このようにして、磨耗粉は、耐圧部６０や回転防止部７０に応力集中を引き起こす。
そして、ジルコニア等のセラミックスに応力集中が起こると、材料内の欠陥を起点にして亀裂が発生する。最悪の場合には、亀裂が進行して破折に至る。
【００５９】
歯科用インプラント５Ｂでは、封止膜９を備えていないので、テーパー穴部１４やテーパー軸部２２から磨耗粉が発生した。磨耗粉は、耐圧部６０や回転防止部７０の一部に堆積して、応力集中を引き起こした、亀裂を発生させた。
よって、図１２に示すように、歯科用インプラント５Ｂは、７１７３回の繰り返し荷重を受けて破折した。
【００６０】
一方、歯科用インプラント５Ａは、封止膜９を備える。封止膜９は、テーパー穴部１４とテーパー軸部２２の間に介在する。特に、封止膜９がパラキシリレンの重合体からなるので、封止膜９は、テーパー穴部１４とテーパー軸部２２の表面の微細な凸凹に対して、均一な膜厚でピンホールもなくコーティングされる。封止膜９は、液状コーティングでは入り込むことが困難な、微細な凸凹にもコーティングされる。
【００６１】
このため、歯科用インプラント５Ａでは、テーパー穴部１４やテーパー軸部２２から磨耗粉が発生したときに、封止膜９が磨耗粉を内部に封じ込める（封止する）。つまり、封止膜９は、テーパー穴部１４とテーパー軸部２２の間に形成される僅かな隙間に沿って、磨耗粉が重力に従って落下（移動）することを阻止する。
封止膜９の膜厚は、ジルコニアの磨耗粉の粒径よりも厚い。このため、封止膜９は、磨耗粉を確実に封じ込める（封止する）ことができる。
【００６２】
また、封止膜９は、テーパー穴部１４とテーパー軸部２２を均一に接触させるので、磨耗粉の発生を防止する。このため、耐圧部６０や回転防止部７０に磨耗粉が堆積することを長期間に亘って回避できた。したがって、歯科用インプラント５Ａでは、耐圧部６０や回転防止部７０に応力集中が起きず、テーパー穴部１４やテーパー軸部２２に亀裂は発生しなかった。
よって、図１２に示すように、歯科用インプラント５Ａは、２００万回の繰り返し荷重を受けても破損しなかった。
【００６３】
歯科用インプラント５Ａの疲労試験を継続した（耐久試験）。
図１３に示すように、歯科用インプラント５Ａは、２０００万回の繰り返し荷重を受けても破損しなかった。２０００万回の繰り返し荷重は、１００年間の人の咬合回数に相当する。したがって、歯科用インプラント５（５Ａ）は、歯槽骨２に装着された後に、人（装着者）が生きている間に破損する可能性は殆どない。
【００６４】
〔歯科用インプラント５の作用効果〕
歯科用インプラント５では、フィクスチャー１０のテーパー穴部１４にアバットメント２０のテーパー軸部２２を嵌合（接触）させると、封止膜９は、テーパー穴部１４とテーパー軸部２２の間に介在する。封止膜９は、テーパー穴部１４とテーパー軸部２２の間に形成される微小な隙間を埋める。
封止膜９は、フィクスチャー１０とアバットメント２０が擦れ（衝突し）合って磨耗粉が発生したときに、この磨耗粉を内部に封じ込める。言い換えれば、封止膜９は、磨耗粉の移動を阻止する。
封止膜９は、テーパー穴部１４やテーパー軸部２２から発生した磨耗粉を封止する層として機能する。
【００６５】
封止膜９は、テーパー穴部１４とテーパー軸部２２を均一に接触させる。これにより、テーパー穴部１４とテーパー軸部２２が擦れ（衝突し）合うことを防止する。言い換えれば、封止膜９は、磨耗粉の発生を防止する。
封止膜９は、テーパー穴部１４やテーパー軸部２２から磨耗粉が発生することを防止する層としても機能する。
【００６６】
歯科用インプラント５は、耐圧部６０（テーパー軸部２２、テーパー穴部１４）に配置された封止膜９を備える。このため、咬合圧Ｆを繰り返し受けて、テーパー軸部２２やテーパー穴部１４から磨耗粉が発生しても、封止膜９が磨耗粉を封じ込める（封止する）。また、歯科用インプラント５Ａでは、テーパー穴部１４とテーパー軸部２２が封止膜９を介して接触するので、磨耗粉の発生を防止できる。
【００６７】
封止膜９は、回転防止部７０（突起１７、溝部２３）にも配置される。このため、咬合圧Ｆを繰り返し受けても、突起１７や溝部２３から発生した磨耗粉を封じ込める（封止する）。突起１７や溝部２３から磨耗粉が発生することも防止できる。
【００６８】
このため、歯科用インプラント５は、磨耗粉が耐圧部６０や回転防止部７０の一部に堆積することを長期間に亘って回避できる。したがって、耐圧部６０や回転防止部７０に応力集中が起きて、テーパー穴部１４やテーパー軸部２２に亀裂が発生することを防止できる。
よって、歯科用インプラント５は、長期間に亘って破損を防止できる。
【００６９】
封止膜９は、咬合の際にフィクスチャー１０とアバットメント２０の間に食べかす等が侵入することを防止する。このため、歯科用インプラント５は、食べかす等が侵入して不衛生になることを回避できる。
【００７０】
封止膜９は、歯科用インプラント５からセラミックスの磨耗粉が体内に放出されることも防止する。フィクスチャー１０とアバットメント２０の間で発生した磨耗粉が人体に向けて排出されないので、健康被害の発生を回避できる。つまり、セラミックの磨耗粉が人体に悪影響を与えることを回避できる。
【００７１】
封止膜９を化学蒸着法によりアバットメント２０のテーパー軸部２２にコーティングしたので、封止膜９をテーパー軸部２２の全体（全域）に亘って斑なく均一に固着させることができる。このため、封止膜９の機能を十分に発揮できる。
封止膜９にパラキシリレンの重合体を用いたので、人体に対して安全であり、耐摩耗、耐薬品、絶縁性、防湿性に優れる。
【００７２】
封止膜９の膜厚（厚み）は０．１μｍ以上、５０μｍ以下である。好ましくは、１μｍ以上、２０μｍ以下である。ジルコニアの磨耗粉の粒径は、０．１μｍ以下である。このため、封止膜９の膜厚は、磨耗粉の粒径よりも厚い。したがって、封止膜９は、磨耗粉を確実に封じ込める（封止する）ことができる。
仮に、磨耗粉の粒径が封止膜９の膜厚よりも大きい場合であっても、この磨耗粉の大部分が封止膜９に覆われるので、磨耗粉の移動が阻止される。
【００７３】
〔本発明に含まれるその他の構成〕
本発明の技術範囲は、上述した実施形態に限定されるものではなく、本発明の趣旨を逸脱しない範囲において、上述した実施形態に種々の変更を加えたものを含む。実施形態で挙げた具体的な材料等はほんの一例に過ぎず、適宜変更が可能である。
【００７４】
歯科用インプラント５において、フィクスチャー１０がテーパー穴部１４を有し、アバットメント２０がテーパー軸部２２を有する場合に限らない。フィクスチャー１０がテーパー軸部２２を有し、アバットメント２０がテーパー穴部１４を有する場合であってもよい。
【００７５】
歯科用インプラント５において、封止膜９は、アバットメント２０のテーパー軸部２２に固着される場合に限らない。フィクスチャー１０のテーパー穴部１４のみに配置される場合であってもよい。テーパー穴部１４とテーパー軸部２２の両方に配置される場合であってもよい。
封止膜９は、耐圧部６０（テーパー穴部１４、テーパー軸部２２）に配置されていればよく、テーパー穴部１４やテーパー軸部２２から取り外し可能であってもよい。
【００７６】
封止膜９は、耐圧部６０と回転防止部７０（突起１７、溝部２３）の両方に配置される場合に限らない。封止膜９は、耐圧部６０に配置されていればよい。
【００７７】
封止体は、膜状の形態（封止膜９）に限らない。封止体は、膜以外の形態であってもよい。封止体は、例えばシート状、テープ状、紐状、粒状、粉状等の形態であってもよい。
【００７８】
歯科用インプラント５のフィクスチャー１０やアバットメント２０、人工股関節インプラント１０５等のカップ１０６ａ等やヘッド１０７ｂ等は、ジルコニア（酸化ジルコニウム）により形成される場合に限らない。
これらの部材は、アルミナ（酸化アルミニウム）や酸化イットリウム、酸化ハフニウム、酸化シリコーン、酸化マグネシウム、酸化セリウム等の生体適合性セラミックス材料であってもよい。
で形成してもよい。
【００７９】
フィクスチャー１０またはアバットメント２０のいずれか一方は、チタンやチタン合金等の金属材料で形成してもよい。
セラミックス製のフィクスチャー１０と金属製のアバットメント２０の組み合わせでは、テーパー穴部１４に封止膜９を配置することにより、テーパー穴部１４から発生した磨耗粉を封止できる。
セラミックス製のフィクスチャー１０と金属製のアバットメント２０の組み合わせでは、テーパー軸部２２に封止膜９を配置することにより、テーパー穴部１４から発生した磨耗粉を封止できる。
金属製のフィクスチャー１０とセラミックス製のアバットメント２０の組み合わせでは、テーパー穴部１４に封止膜９を配置することにより、テーパー軸部２２から発生した磨耗粉を封止できる。
金属製のフィクスチャー１０とセラミックス製のアバットメント２０の組み合わせでは、テーパー軸部２２に封止膜９を配置することにより、テーパー軸部２２から発生した磨耗粉を封止できる。
【００８０】
歯科用インプラントは、人間に限らず、犬や猫等のペット、牛や馬等の家畜に適用される場合であってもよい。
【符号の説明】
【００８１】
２  歯槽骨    ５  歯科用インプラント    ９  封止膜（封止体）    １０  フィクスチャー    １４  テーパー穴部（被嵌合部）    ２０  アバットメント    ２２  テーパー軸部（嵌合部）  
【手続補正３】
【補正対象書類名】図面
【補正対象項目名】全図
【補正方法】変更
【補正の内容】
【図１】
2017002223.tif 000022
【図２】
2017002223.tif 000023
【図３】
2017002223.tif 000024
【図４】
2017002223.tif 000025
【図５】
2017002223.tif 000026
【図６】
2017002223.tif 000027
【図７】
2017002223.tif 000028
【図８】
2017002223.tif 000029
【図９】
2017002223.tif 000030
【図１０】
2017002223.tif 000031
【図１１】
2017002223.tif 000032
【図１２】
2017002223.tif 000033
【図１３】
2017002223.tif 000034
【国際調査報告】
2017002223.tif 000035
2017002223.tif 000036
2017002223.tif 000037
2017002223.tif 000038